(57)【特許請求の範囲】
【請求項１】
便器本体と、該便器本体に取り付けられ、洗浄タンクを有さず、該便器本体を洗浄水により洗浄可能な便器洗浄機構を有する便器洗浄装置を備えたタンクレス便器において、
人体の局部を洗浄可能な局部洗浄機構を有する便座・便蓋装置を前記便器本体に取り付ける場合、該便座・便蓋装置として前記局部洗浄機構が固定された便座ベースプレートを有するものが採用されるとともに、前記便器洗浄装置として前記便器洗浄機構が固定された便器洗浄ベースプレートを有するものが採用され、該便座ベースプレートは該便器本体に形成された便座取付け穴により該便器本体に取り付けられ、該便器洗浄ベースプレートは、該局部洗浄機構と該便器洗浄機構との干渉を回避しつつ、該便座ベースプレートと該便器本体との間に挟持されることを特徴とするタンクレス便器。
【請求項２】
便座取付け穴は汎用の便座・便蓋装置を取り付け可能であることを特徴とする請求項１記載のタンクレス便器。
【請求項３】
便座ベースプレートは、便器洗浄機構から漏れる水を便器本体内に案内する案内路をもつことを特徴とする請求項１又は２記載のタンクレス便器。
【請求項４】
便座・便蓋装置は局部洗浄機構を隠蔽するカバーを有し、便器洗浄装置の便器洗浄機構は該カバーにより隠蔽されていることを特徴とする請求項１、２又は３記載のタンクレス便器。
【発明の詳細な説明】
【０００１】
【発明の属する技術分野】
本発明は、洗浄タンクを有さず、水道管等の給水管から供給される洗浄水を便器本体に直接供給してその便器本体を洗浄可能なタンクレス便器に関する。
【０００２】
【従来の技術】
一般的な水洗式便器では、水道管等の給水管から供給される洗浄水をロータンク等の洗浄タンクに一旦貯留し、その洗浄タンクに貯留した洗浄水により便器本体の洗浄を行う。しかし、かかる一般的な水洗式便器では、洗浄タンクの設置スペースが必要とされる。
【０００３】
このため、近年、スペースの有効活用等の観点から、洗浄タンクを廃止し、水道管等の給水管から供給される洗浄水を便器本体に直接供給し、便器本体をその洗浄水により洗浄可能な便器洗浄機構を有する便器洗浄装置を便器本体に一体に備えたタンクレス便器が開発されつつある（特開平３−２５３６３０号公報）。
【０００４】
【発明が解決しようとする課題】
しかし、上記従来のタンクレス便器は、便器本体に便器洗浄装置が取り付けられているだけであり、人体の局部を洗浄可能な局部洗浄機構を有する便座・便蓋装置が取り付けられてはいない。このため、このタンクレス便器では、用便等後の局部を洗浄したいという使用者の要望に答えられない。
【０００５】
仮にかかるタンクレス便器に局部洗浄機構を設ける場合、便器本体に便器洗浄機構を固定するベースプレートにその局部洗浄機構を併せて固定するのであれば、そのベースプレートが大型化し、ひいてはタンクレス便器も大型化して設置スペースに苦慮する自体も招来してしまう。局部洗浄機構を固定した他のベースプレートをその便器本体に固定し、便器本体に別途そのスペースを確保する場合も同様である。
【０００６】
本発明は、上記従来の実情に鑑みてなされたものであって、小型化により設置スペースの確保が容易であるとともに、用便等後の局部を洗浄したいという使用者の要望に答え得るタンクレス便器を提供することを解決すべき課題とする。
【０００７】
【課題を解決するための手段】
本発明のタンクレス便器は、便器本体と、該便器本体に取り付けられ、洗浄タンクを有さず、該便器本体を洗浄水により洗浄可能な便器洗浄機構を有する便器洗浄装置を備えたタンクレス便器において、
人体の局部を洗浄可能な局部洗浄機構を有する便座・便蓋装置を前記便器本体に取り付ける場合、該便座・便蓋装置として前記局部洗浄機構が固定された便座ベースプレートを有するものが採用されるとともに、前記便器洗浄装置として前記便器洗浄機構が固定された便器洗浄ベースプレートを有するものが採用され、該便座ベースプレートが該便器本体に形成された便座取付け穴により該便器本体に取り付けられ、該便器洗浄ベースプレートは、該局部洗浄機構と該便器洗浄機構との干渉を回避しつつ、該便座ベースプレートと該便器本体との間に挟持されることを特徴とする。
【０００８】
本発明のタンクレス便器では、便座・便蓋装置の便座ベースプレートが便器本体に形成された便座取付け穴により便器本体に取り付けられ、便器洗浄装置の便器洗浄ベースプレートはその便座ベースプレートと便器本体との間に挟持される。この際、便座・便蓋装置の局部洗浄機構と便器洗浄装置の便器洗浄機構との干渉は回避されている。こうして、このタンクレス便器では、便座・便蓋装置の局部洗浄機構が便器本体に取り付けられ、用便等後の局部を洗浄したいという使用者の要望に答え得る。また、このタンクレス便器では、こうして局部洗浄機構を設ける場合でも、便座ベースプレートと便器洗浄ベースプレートとが一部で重ね合わされているため、小型化している。
【０００９】
したがって、本発明のタンクレス便器では、小型化により設置スペースの確保が容易であるとともに、用便等後の局部を洗浄したいという使用者の要望に答えることができる。
【００１０】
便座取付け穴は汎用の便座・便蓋装置を取り付け可能であることが好ましい。こうであれば、トイレ室への設置を検討しているタンクレス便器の購入者は、その購入の際、予算の都合等により当初は汎用の便座・便蓋装置を取り付けていた場合でも、便器本体その他の機器を交換する必要なく、局部洗浄機構を有する便座・便蓋装置に交換することができる。この逆も可能である。こうして、購入者の自由な選択を確保できる。また、こうであれば、便器本体を共通化することができるため、高い量産化により製造コストの低廉化を実現できる。このような便座取付け穴は、例えば日本では間隔が１４０ｍｍとＪＩＳ規格により定められており、その他米国等、他国の規格で定められる。
【００１１】
便座ベースプレートは、便器洗浄機構から漏れる水を便器本体内に案内する案内路をもつことができる。
【００１２】
また、便座・便蓋装置が局部洗浄機構を隠蔽するカバーを有する場合、便器洗浄装置の便器洗浄機構がこのカバーにより隠蔽されるように構成することもできる。
【００１３】
【発明の実施の形態】
以下、本発明を具体化した実施形態について図面を参照しつつ説明する。
【００１４】
本実施形態に係るタンクレス便器は洗浄タンクを有さない水洗式便器であり、図１及び図２に示す陶器製の便器本体１を備えている。この便器本体１は、排泄物を受けるボウル部１０をもつ便鉢１１と、便鉢部１１の前部側の上縁回りに形成され、内部に図示しないリム通水路をもつリム１２と、便鉢１１の後部側に広面積の平坦な水平面で形成された取付面１３とを備えている。ボウル部１０の底には図示しないジェットノズル取付孔が形成されている。取付面１３には、図１に示すように、２個１組の便座取付け穴１３ａ、１３ｂが上下方向に貫設されている。これら便座取付け穴１３ａ、１３ｂの間隔は１４０ｍｍである。また、図２に示すように、取付面１３の後壁にはリム通水路に連通するリム開口１３ｃが形成されている。ジェットノズル取付孔には図示しないジェットノズルが取り付けられている。また、便鉢１１の後部には上端にジェット開口１４ａをもつ後部台座１４が一体に設けられている。
【００１５】
また、図３及び図４に示すように、便器洗浄装置２では便器洗浄ベースプレート２１に便器洗浄機構２２が固定されている。便器洗浄ベースプレート２１には便座取付け穴１３ａ、１３ｂと整合する取付け穴２１ａ、２１ｂが上下方向に貫設されている。また、便器洗浄機構２２は、給水口２２ａを有しつつストレーナを内蔵する逆止弁２２ｂと、この逆止弁２２ｂと連通するリム用及びジェット用の開閉弁２２ｃと、この開閉弁２２ｃの上方に設けられて開閉弁２２ｃを開閉するカム装置２２ｄと、このカム装置２２ｄの側方に設けられてカム装置２２ｄを駆動するモータ装置２２ｅと、このモータ装置２２ｅよりさらに側方に突出し、手動によりカム装置２２ｄを駆動可能な手動ハンドル２２ｆとを有している。便器洗浄ベースプレート２１は開閉弁２２ｃの下端を剥き出しにする切欠２１ｃを有しており、開閉弁２２ｃの後方下端には、便器本体１のリム開口１３ｃに接続されるリム給水口２２ｇが切欠２１ｃより大きく下方に延在しているとともに、ジェットノズルに接続されるジェット給水口２２ｈが切欠２１ｃより小さく下方に延在している。一方、開閉弁２２ｃの前方上端にはリム給水口２２ｇ及びジェット給水口２２ｈと連通するバキュームブレーカ２３が固定されている。
【００１６】
さらに、図５及び図６に示すように、便座・便蓋装置であるシャワートイレ３では便座ベースプレート３１に人体の局部を洗浄可能な局部洗浄機構３２が固定されている。便座ベースプレート３１には便座取付け穴１３ａ、１３ｂ及び取付け穴２１ａ、２１ｂと整合する取付け穴３１ａ、３１ｂが上下方向に貫設されている。また、便座ベースプレート３１には、バキュームブレーカ２３を剥き出しにする切欠３１ｃを有しており、切欠３１ｃから前方に向けてバキュームブレーカ２３から漏れる水を便器本体１の便鉢１１内に案内する案内路３１ｄが凹設されている。一方、局部洗浄機構３２は、給水口３２ａを有する本体３２ｂと、本体３２ｂに接続された温水タンク３２ｃと、本体３２ｂから前方に延出可能なお尻用ノズル３２ｄ及びビデ用ノズル３２ｅとを有している。
【００１７】
このタンクレス便器は以下のように組み付けられる。まず、図７及び図８に示すように、便器洗浄装置２の便器洗浄ベースプレート２１の取付け穴２１ａ、２１ｂを便器本体１の便座取付け穴１３ａ、１３ｂと整合させた状態とする。この状態において、図９及び図１０に示すように、シャワートイレ３の便座ベースプレート３１の取付け穴３１ａ、３１ｂに図示しないボルトを挿入し、便器洗浄ベースプレート２１の取付け穴２１ａ、２１ｂを介して便器本体１の便座取付け穴１３ａ、１３ｂを通過させ、裏面よりそれらボルトを図示しないナットで螺合する。こうして、便器洗浄装置２の便器洗浄ベースプレート２１はその便座ベースプレート３１と便器本体１との間に挟持される。また、局部洗浄機構３２における本体３２ｂは給水口３２ａにより開閉弁２２ｃに接続される。この際、シャワートイレ３の局部洗浄機構３２と便器洗浄装置２の便器洗浄機構２２との干渉は回避されている。
【００１８】
そして、バキュームブレーカ２３には案内路３１ｄに向かってゴムホース２４が嵌められる。また、便器本体１のリム開口１３ｃにリム給水口２２ｇを接続するとともに、ジェット給水口２２ｈとジェットノズルとをジェット用導水管により接続する。この後、図１１に示すように、シャワートイレ３の残部である便座３３及び便蓋３４が便座ベースプレート３１に揺動可能に支承されるとともに、同様にシャワートイレ３の残部であるカバー３５が便座ベースプレート３１に取り付けられる。こうして、カバー３５内に局部洗浄機構３２が隠蔽される。便器洗浄機構２２の給水口２２ａには可撓性をもつフレキシブルホース４０が接続され、フレキシブルホース４０は図示しない止水栓を介して水道管等の給水管に接続される。
【００１９】
こうして、このタンクレス便器では、シャワートイレ３の局部洗浄機構３２が便器本体１に取り付けられ、用便等後の局部を洗浄したいという使用者の要望に答え得る。また、このタンクレス便器では、こうして局部洗浄機構３２を設ける場合でも、便座ベースプレート３１と便器洗浄ベースプレート２１とが一部で重ね合わされているため、小型化している。
【００２０】
したがって、このタンクレス便器では、小型化により設置スペースの確保が容易であるとともに、用便等後の局部を洗浄したいという使用者の要望に答えることができる。
【図面の簡単な説明】
【図１】実施形態に係り、タンクレス便器の便器本体の平面図である。
【図２】実施形態に係り、タンクレス便器の便器本体の背面図である。
【図３】実施形態に係り、タンクレス便器の便器洗浄装置の平面図である。
【図４】実施形態に係り、タンクレス便器の便器洗浄装置の背面図である。
【図５】実施形態に係り、タンクレス便器の便座・便蓋装置の一部平面図である。
【図６】実施形態に係り、タンクレス便器の便座・便蓋装置の一部背面図である。
【図７】実施形態に係り、タンクレス便器の便器本体に便器洗浄装置を整合させた状態を示す平面図である。
【図８】実施形態に係り、タンクレス便器の便器本体に便器洗浄装置を整合させた状態を示す背面図である。
【図９】実施形態に係り、タンクレス便器の便器本体に便器洗浄装置及び便座・便蓋装置の一部を固定した状態を示す平面図である。
【図１０】実施形態に係り、タンクレス便器の便器本体に便器洗浄装置及び便座・便蓋装置の一部を固定した状態を示す背面図である。
【図１１】実施形態に係るタンクレス便器の斜視図である。
【符号の説明】
１…便器本体
１３ａ、１３ｂ…便座取付け穴
２…便器洗浄装置
２１…便器洗浄ベースプレート
２２…便器洗浄機構
３…便座・便蓋装置（シャワートイレ）
３１…便座ベースプレート
３１ｄ…案内路
３２…局部洗浄機構
３５…カバー
【図１】
0003659623.tif 000002
【図２】
0003659623.tif 000003
【図３】
0003659623.tif 000004
【図４】
0003659623.tif 000005
【図５】
0003659623.tif 000006
【図６】
0003659623.tif 000007
【図７】
0003659623.tif 000008
【図８】
0003659623.tif 000009
【図９】
0003659623.tif 000010
【図１０】
0003659623.tif 000011
【図１１】
0003659623.tif 000012